(57)【要約】【課題】従来品以上に封緘を解くことが困難な構造とされた封緘バンドを提供すること。【解決手段】封緘バンド１は、帯状部３と、挿通部５とを備える。挿通部５は、凹部１９が形成された第一部分５Ａと、第一部分５Ａの所定位置に取り付けられた際に凹部１９の開口１９Ａを塞ぐ第二部分５Ｂとを有する。第一部分５Ａが有する周壁部１７Ａ，１７Ｃには、凹部１９を挟んで対向する箇所に第一貫通孔２１及び第二貫通孔２２が形成され、第一貫通孔２１から凹部１９を経て第二貫通孔２２に至る通路が挿通路２５とされている。爪２６は、凹部１９の内側で、挿通路２５に挿通された状態にある帯状部３の一部を挟んで開口１９Ａとは反対側となる位置に配設されている。帯状部３が挿通路２５に挿通された際には、帯状部３及び第二部分５Ｂの双方によって二重の隔壁が形成されて、当該二重の隔壁によって開口１９Ａが塞がれる。【選択図】図５
2015081118.tif 000002
【特許請求の範囲】
【請求項１】
長手方向に列設された複数の歯を有する帯状部と、
前記帯状部の一端に設けられ、前記帯状部が挿通される挿通路を有し、当該挿通路へは前記帯状部を前記一端の反対にある他端側から挿し込み可能で、前記挿通路内には、前記帯状部が前記挿通路に挿通された際に前記歯に引っかかる爪が設けられた挿通部と
を備え、
前記複数の歯及び前記爪は、前記帯状部が前記挿通路に挿通された際にラチェット機構を構成することにより、前記帯状部が前記挿通路へ挿し込まれる方向へ移動することを許容する一方、前記帯状部が前記挿通路から引き抜かれる方向へ移動することを阻止する状態になり、
前記挿通部は、凹部が形成された第一部分と、前記第一部分の所定位置に取り付けられた際に前記凹部の開口を塞ぐ第二部分とを有し、前記第一部分には前記凹部の外周側を囲む周壁部が形成され、当該周壁部には前記凹部を挟んで対向する箇所に第一貫通孔及び第二貫通孔が形成されて、前記第一貫通孔から前記凹部を経て前記第二貫通孔に至る通路が、前記挿通路とされており、
しかも、前記爪は、前記凹部の内側で、前記挿通路に挿通された状態にある前記帯状部の一部を挟んで前記開口とは反対側となる位置に配設され、前記帯状部が前記挿通路に挿通された際には、前記帯状部及び前記第二部分の双方によって二重の隔壁が形成されて、当該二重の隔壁によって前記開口が塞がれる
封緘バンド。
【請求項２】
前記第一部分には、前記開口、前記第一貫通孔、及び前記第二貫通孔以外に、前記凹部の内側と外側とを連通させる第三貫通孔が形成されており、
前記第二部分は、前記第一部分の所定位置に取り付けられた際に、前記開口に加えて、前記第三貫通孔を塞ぐ形状とされている
請求項１に記載の封緘バンド。
【請求項３】
前記第二部分には、当該第二部分を貫通する第四貫通孔が形成されており、前記帯状部が前記挿通路に挿通される際には、前記帯状部が前記第四貫通孔に挿通された状態とされ、当該状態とされた前記帯状部により、前記第二部分が前記第一部分から取り外される方向へ変位するのを阻止してある
請求項２に記載の封緘バンド。
【請求項４】
前記挿通部は、前記第一部分と前記第二部分とを連結するヒンジ部を有し、前記第一部分、前記第二部分、及び前記ヒンジ部が、樹脂材料によって一体成形されている
請求項１〜請求項３のいずれか一項に記載の封緘バンド。
【請求項５】
前記第二部分は、前記第一部分の所定位置に取り付けられた際に、前記開口を塞ぐ状態になる板状部を有し、当該板状部には、当該板状部の板厚方向に交差する方向へ突出する嵌合部が設けられ、当該嵌合部を前記第一部分に形成された被嵌合部に嵌合させることにより、前記板状部が前記開口から離間する方向へ捲れ上がるのを阻止してある
請求項１〜請求項５のいずれか一項に記載の封緘バンド。
【発明の詳細な説明】
【技術分野】
【０００１】
本発明は、封緘バンドに関する。
【背景技術】
【０００２】
従来、この種の封緘バンドとしては、下記特許文献１に記載されたものが提案されている。下記特許文献１に記載の封緘具（１）は、頭部（２）と、この頭部（２）の一側面より延長されたバンド体（３）よりなり、頭部（２）の貫通孔（６）内に爪体（９）を揺動可能に突設し、この爪体の前後両端に入口壁（７）と覆い壁（８）とをそれぞれ配置して貫通孔（６）をバンド体（３）が通過可能な程度に狭小に形成し、更に覆い壁（８）によって爪体（９）を操作することが不能に保護してなる、というものである（特許文献１：「特許請求の範囲」参照。）。
【先行技術文献】
【特許文献】
【０００３】
【特許文献１】特開平２−３２９６７号公報
【発明の概要】
【発明が解決しようとする課題】
【０００４】
しかしながら、特許文献１に記載の封緘具（１）の場合、悪意を持って特殊な操作を行えば、封緘を解くことも可能であり、この点で未だ改良の余地があった。
より具体的に説明すれば、特許文献１に記載の封緘具（１）は、ナイロンやポリプロピレン等の強度な大きな樹脂で一体成形したものである（特許文献１の第２頁左下欄第１９行〜第２０行参照。）。そのため、このような一体成形品において、頭部（２）の内側に爪体（９）を形成しようとすると、金型の都合上、どうしても開口部（１１）ができてしまう（特許文献１の第３図，第５図，第７図参照。）。また、間隙（１０）についても、金型の都合上、外面側に小さな開口が形成されてしまう（特許文献１の第３図，第４図，第７図，第８図参照。）。
【０００５】
しかし、特許文献１に記載の封緘具（１）の場合、上述のような開口部（１１）が存在するため、封緘状態においては、貫通孔（６）に挿通されたバンド体（３）が、開口部（１１）を介して見える状態になっている。そのため、例えば、細い治具（例えば、ドライバー、キリ、ピアノ線など。）を開口部（１１）へ突っ込めば、その先端でバンド体（３）に対して相応に強い力を加えることができる。
【０００６】
バンド体（３）は、通常、ある程度は柔軟に弾性変形させることが可能なので、上述のような治具の先端が強く押し当てられた場合には、バンド体（３）が弾性変形する可能性があり、その場合、バンド体（３）は開口部（１１）の奥へと押し込まれることになる。このとき、爪体（９）も、バンド体（３）に押されて間隙（１０）側へ揺動することになるが、間隙（１０）の一端には、上述の通り、外面側に連通する小さな開口が形成されているため、例えば、間隙（１０）に針先などを突っ込んで爪体（９）に突き当てれば、爪体（９）を間隙（１０）側へ揺動させた位置のまま保持することができる。
【０００７】
このような状態にしてから、上述のような治具を開口部（１１）から引き抜いた場合、弾性変形していたバンド体（３）の形状は復元することになるが、爪体（９）の位置は、バンド体（３）の爪部（３ａ）から外れた位置のまま保持されることになる。その結果、バンド体（３）を貫通孔（６）から引き抜くことができるようになり、これにより、封緘が解かれてしまうことになる。
【０００８】
つまり、上記封緘具（１）の場合、開口部（１１）内では、バンド体（３）によって爪体（９）が覆い隠されているものの、バンド体（３）自体を弾性変形させれば爪体（９）を揺動させることができ、この点が悪用されると封緘が解かれてしまうおそれがあった。
【０００９】
なお、単にバンド体（３）が弾性変形するのを抑制するだけでよければ、バンド体（３）の剛性を高めるなどの対策をとるのは一案である。しかし、そのような対策をとると、バンド体（３）を湾曲させにくくなる等、バンド体（３）としての本来の性能が損なわれてしまい、封緘具（１）の使い勝手が著しく悪くなる、という別の問題がある。
【００１０】
以下に説明する技術は、上述のような課題を解決しようとするものであり、その目的の一つは、従来品以上に封緘を解くことが困難な構造とされた封緘バンドを提供することにある。
【課題を解決するための手段】
【００１１】
以下に説明する封緘バンドは、長手方向に列設された複数の歯を有する帯状部と、前記帯状部の一端に設けられ、前記帯状部が挿通される挿通路を有し、当該挿通路へは前記帯状部を前記一端の反対にある他端側から挿し込み可能で、前記挿通路内には、前記帯状部が前記挿通路に挿通された際に前記歯に引っかかる爪が設けられた挿通部とを備え、前記複数の歯及び前記爪は、前記帯状部が前記挿通路に挿通された際にラチェット機構を構成することにより、前記帯状部が前記挿通路へ挿し込まれる方向へ移動することを許容する一方、前記帯状部が前記挿通路から引き抜かれる方向へ移動することを阻止する状態になり、前記挿通部は、凹部が形成された第一部分と、前記第一部分に対して取り付けられた際に前記凹部の開口を塞ぐ第二部分とを有し、前記第一部分には前記凹部の外周側を囲む周壁部が形成され、当該周壁部には前記凹部を挟んで対向する箇所に第一貫通孔及び第二貫通孔が形成されて、前記第一貫通孔から前記凹部を経て前記第二貫通孔に至る通路が、前記挿通路とされており、しかも、前記爪は、前記凹部の内側で、前記挿通路に挿通された状態にある前記帯状部の一部を挟んで前記開口とは反対側となる位置に配設され、前記帯状部が前記挿通路に挿通された際には、前記帯状部及び前記第二部分の双方によって二重の隔壁が形成されて、当該二重の隔壁によって前記開口が塞がれる。
【００１２】
このように構成された封緘バンドによれば、帯状部の一端に設けられた挿通部が有する挿通路に対し、帯状部を他端側から挿し込むと、帯状部が環状になる。このとき、帯状部が有する複数の歯と挿通部が有する爪がラチェット機構を構成し、このラチェット機構は、帯状部が挿通路へ挿し込まれる方向へ移動することを許容する一方、帯状部が挿通路から引き抜かれる方向へ移動することを阻止する。そのため、このような封緘バンドであれば、環状になった帯状部を絞って環の径を小さくすることはできても、帯状部を緩めて環の径を大きくすることはできない。したがって、封緘バンドを封緘対象物に取り付けて、環の径が最も小さくなる状態まで絞れば、その環を破断することなく緩めることはできなくなる。
【００１３】
また、この封緘バンドにおいて、挿通部が有する第一部分には凹部が形成され、この凹部の開口は、帯状部が挿通路に挿通された際に、帯状部及び第二部分の双方によって形成される二重の隔壁によって塞がれる。したがって、帯状部のみによって形成される単一（一重）の隔壁で凹部の開口を塞いでいた従来品とは異なり、開口内にある帯状部は第二部分によって覆い隠されるので、開口内にある帯状部に対して何らかの治具を押し当てることはできなくなる。
【００１４】
したがって、開口内で帯状部を変形させたり、そのような変形に伴って爪を変位させたりする不正な操作はできなくなるので、そのような不正な操作によって封緘を解くことはできず、従来品以上に封緘性能を高くすることができる。
【００１５】
なお、以上説明した封緘バンドは、さらに、以下のような構成を備えていると好ましい。
まず、前記第一部分には、前記開口、前記第一貫通孔、及び前記第二貫通孔以外に、前記凹部の内側と外側とを連通させる第三貫通孔が形成されており、前記第二部分は、前記第一部分に対して取り付けられた際に、前記開口に加えて、前記第三貫通孔を塞ぐ形状とされていると好ましい。
【００１６】
このように構成された封緘バンドによれば、第二部分が第一部分に対して取り付けられた際、第二部分は、前記開口に加えて、第三貫通孔を塞ぐ状態になる。そのため、仮に第二部分が存在しなければ、第三貫通孔を介して針先などを侵入させた場合に、その針先が爪に到達し得るような構造になっていたとしても、そのような針先の侵入を第二部分によって阻止でき、不正な操作に対する耐性をより一層高めることができる。
【００１７】
なお、第一部分に第三貫通孔が存在する場合、上述の通り、第二部分が第三貫通孔を塞ぐ構造になっている方が好ましいが、第三貫通孔の位置や大きさによっては、第二部分が第三貫通孔を塞がない構造になっていても特に問題がない場合もある。したがって、第三貫通孔が存在する場合でも、第二部分が第三貫通孔を塞ぐか否かは任意である。
【００１８】
また、前記第二部分には、当該第二部分を貫通する第四貫通孔が形成されており、前記帯状部が前記挿通路に挿通される際には、前記帯状部が前記第四貫通孔に挿通された状態とされ、当該状態とされた前記帯状部により、前記第二部分が前記第一部分から取り外される方向へ変位するのを阻止してあると好ましい。
【００１９】
このように構成された封緘バンドによれば、帯状部が挿通路に挿通される際、帯状部が第四貫通孔に挿通された状態とされ、これにより、帯状部は、第二部分が第一部分から取り外される方向へ変位するのを阻止する。したがって、他のロック機構を採用することなく、帯状部と第四貫通孔によって第二部分が第一部分から取り外されないようにすることができ、他のロック機構が存在する場合よりも、封緘バンドの構造を簡素化することができる。
【００２０】
また、前記挿通部は、前記第一部分と前記第二部分とを連結するヒンジ部を有し、前記第一部分、前記第二部分、及び前記ヒンジ部が、樹脂材料によって一体成形されていると好ましい。
【００２１】
このように構成された封緘バンドによれば、第一部分と第二部分がヒンジ部を介して連結されている。そのため、このようなヒンジ部が設けられていない場合とは異なり、第一部分と第二部分がバラバラにならず、一方だけを紛失したり、作業時に落としたりするの防ぐことができるので、封緘バンドを取り扱いやすくすることができる。
【００２２】
また、前記第二部分は、前記第一部分に対して取り付けられた際に、前記開口を塞ぐ状態になる板状部を有し、当該板状部には、当該板状部の板厚方向に交差する方向へ突出する嵌合部が設けられ、当該嵌合部を前記第一部分に形成された被嵌合部に嵌合させることにより、前記板状部が前記開口から離間する方向へ捲れ上がるのを阻止してあると好ましい。
【００２３】
このように構成された封緘バンドによれば、第二部分が有する板状部には、上述のような嵌合部が設けられ、その嵌合部を第一部分が有する被嵌合部に嵌合させることにより、板状部が開口から離間する方向へ捲れ上がるのを阻止してある。したがって、このような嵌合部相当の部分が設けられていない場合とは異なり、板状部で開口を塞ぐ構造としてあるにもかかわらず、板状部が不正な操作を受けて捲れ上がる方向へ変形させられることがなく、不正な操作に対する耐性を高めることができる。
【図面の簡単な説明】
【００２４】
【図１】封緘バンドを示す図であり、（Ａ）は平面図、（Ｂ）は左側面図、（Ｃ）は正面図、（Ｄ）は右側面図、（Ｅ）は背面図、（Ｆ）は底面図。
【図２】挿通部を拡大して示す図であり、（Ａ）は図２（Ｃ）中にIIA−IIA線で示した切断面の断面図、（Ｂ）は図１（Ｃ）中にIIB−IIB線で示した範囲の矢視図、（Ｃ）は図１（Ｂ）中にIIC−IIC線で示した範囲の矢視図、（Ｄ）は図１（Ｃ）中にIID−IID線で示した範囲の矢視図、（Ｅ）は図１（Ｂ）中にIIE−IIE線で示した範囲の矢視図、（Ｆ）は図２（Ｃ）中にIIF−IIF線で示した範囲の矢視図。
【図３】（Ａ）は第二部分が第一部分から取り外された状態を示す斜視図、（Ｂ）は第二部分が第一部分に取り付けられた状態を右上前方から見た斜視図、（Ｃ）は第二部分が第一部分に取り付けられた状態を左上前方から見た斜視図。
【図４】（Ａ）は第二部分が第一部分に取り付けられた状態を右上後方から見た斜視図、（Ｂ）は第二部分が第一部分に取り付けられた状態について、左右方向中央の縦断面で破断し、その右側の構造だけを左上前方から見た斜視図。
【図５】（Ａ）は帯状部が挿通部の有する挿通穴に通された状態を示す斜視図、（Ｂ）は帯状部が挿通部の有する挿通穴に通された状態を示す部分縦断面図。
【発明を実施するための形態】
【００２５】
次に、上述の封緘バンドについて、より具体的な例を挙げて説明する。なお、以下の説明においては、図１（Ａ）〜図１（Ｆ）に示す六面図を基準にして、平面図に表れる箇所が向けられた方向を上、左側面図に表れる箇所が向けられた方向を左、正面図に表れる箇所が向けられた方向を前、右側面図に表れる箇所が向けられた方向を右、背面図に表れる箇所が向けられた方向を後、底面図に表れる箇所が向けられた方向を下と称する。また、必要に応じて、これら上下左右前後の各方向を一部の図中にも併記し、これらの各方向を利用して説明を行う。ただし、これらの各方向は、封緘バンドを構成する各部の相対的な位置関係を簡潔に説明するために規定した方向に過ぎず、封緘バンドの使用時等において、封緘バンドがどのような方向に向けられるかは任意である。
【００２６】
［封緘バンドの構成］
封緘バンド１は、図１（Ａ）〜図１（Ｆ）に示すように、帯状部３と、帯状部３の一端（図中下端）に設けられた挿通部５と、挿通部５に連結されたタグ７とを備える。これらはポリアミド、ポリエチレンなどの樹脂材料によって一体成形されている。
【００２７】
挿通部５は、図２（Ａ）〜図２（Ｆ）に拡大して示すように、第一部分５Ａと、第二部分５Ｂとを有し、これらがヒンジ部５Ｃを介して連結された構造になっている。第二部分５Ｂは、ヒンジ部５Ｃを変形させつつ、第一部分５Ａに対して相対的に変位可能で、具体的には、図３（Ａ）に示す第一位置から、図３（Ｂ）及び図３（Ｃ）に示す第二位置へ変位可能とされている。
【００２８】
第二部分５Ｂが第一位置にある状態（図３（Ａ）参照。）は、第二部分５Ｂが第一部分５Ａから取り外された状態であり、これは封緘バンド１の成形直後の初期状態でもある。一方、第二部分５Ｂが第二位置にある状態（図３（Ｂ）及び図３（Ｃ）参照。）は、第二部分５Ｂが第一部分５Ａに取り付けられた状態であり、これは封緘バンド１を使用するときの状態である。
【００２９】
第一部分５Ａには係合突起１１Ａが設けられ、第二部分５Ｂには被係合部１１Ｂが設けられている。第二部分５Ｂを第二位置に変位させた際には、係合突起１１Ａが被係合部１１Ｂに引っかかることで、第二部分５Ｂが第一部分５Ａに対して固定される。
【００３０】
第二部分５Ｂは、第二部分５Ｂが第二位置にある場合に（図３（Ｂ）及び図３（Ｃ）参照。）、第一部分５Ａの正面側を覆う状態になる正面カバー部１３Ａと、第一部分５Ａの底面側を覆う状態になる底面カバー部１３Ｂとを有する。
【００３１】
底面カバー部１３Ｂは、図中上下方向が板厚方向となる板状に形成されている（本明細書でいう板状部の一例に相当。）。底面カバー部１３Ｂには、その板厚方向に交差する方向へ突出する嵌合部１５Ａが設けられている。この嵌合部１５Ａは、図４（Ａ）及び図４（Ｂ）に示すように、第二部分５Ｂが第二位置にある場合に、第一部分５Ａ側に設けられた被嵌合部１５Ｂに嵌合する。
【００３２】
第一部分５Ａは、図２（Ａ）〜図２（Ｆ）に示すように、第一部分５Ａの前側、左側、後側、右側、それぞれを構成する周壁部１７Ａ，１７Ｂ，１７Ｃ，１７Ｄ、上側を構成する天井部１７Ｅ、及び下側を構成する底部１７Ｆを有する。これら周壁部１７Ａ，１７Ｂ，１７Ｃ，１７Ｄ、天井部１７Ｅ、及び底部１７Ｆは、これらによって囲まれる内部空間を形成しており、その内部空間は底部１７Ｆに形成された略四角形の開口１９Ａを介して外部に連通している。これらの構成により、第一部分５Ａは、上向きに凹む凹部１９を有する形状となっている。
【００３３】
凹部１９を挟んで対向する周壁部１７Ａ，１７Ｃには、図中前後方向に貫通する第一貫通孔２１、及び第二貫通孔２２が形成されている。また、周壁部１７Ａには、図中前後方向に貫通する第三貫通孔２３が形成され、第二部分５Ｂには、図中前後方向に貫通する第四貫通孔２４が形成されている。
【００３４】
第二部分５Ｂが第二位置にある場合、図４（Ｂ）に示すように、第一部分５Ａの図中前側にある第三貫通孔２３は、第二部分５Ｂの正面カバー部１３Ａによって覆い隠される。また、第二部分５Ｂが第二位置にある場合、第一部分５Ａの図中下側にある開口１９Ａは、第二部分５Ｂの底面カバー部１３Ｂによって覆い隠される。一方、第二部分５Ｂが第二位置にある場合、第一貫通孔２１、第二貫通孔２２、及び第四貫通孔２４は、直列に並ぶ位置にあり、挿通部５には、第四貫通孔２４から第一貫通孔２１及び凹部１９内を経て第二貫通孔２２に至る挿通路２５が形成される。
【００３５】
第一部分５Ａにおいて、凹部１９の内側には、爪２６が設けられている。より詳しくは、凹部１９の内側には、図４（Ｂ）及び図５（Ｂ）に示すように、周壁部１７Ａの上端から図中後方に向かって延設されるとともに、図中左右両端は周壁部１７Ｂ，１７Ｄに連設された板状支持部２８が形成されている。上述の爪２６は、板状支持部２８から図中後方及び下方に向かって突設されている。爪２６に外力が加えられた際には、爪２６ないし板状支持部２８が弾性変形し、これにより、爪２６が上下方向に変位する。
【００３６】
帯状部３の正面側には、図１（Ｃ）に示すように、帯状部３の長手方向に沿って複数の歯３１が列設されている。帯状部３は、図５（Ａ）及び図５（Ｂ）に示すように、挿通部５が設けられた一端とは反対側の他端側から挿通路２５へ挿し込むことができる。このとき、挿通部５の爪２６は帯状部３の歯３１に引っかかり、これら複数の歯３１及び爪２６によってラチェット機構が構成される。
【００３７】
このラチェット機構は、帯状部３が挿通路２５へ挿し込まれる方向へ移動することを許容する一方、帯状部３が挿通路２５から引き抜かれる方向へ移動することを阻止する状態にある。具体的には、帯状部３が挿通路２５へ挿し込まれる方向へ移動する場合、爪２６の変位方向、歯３１の移動方向、及び爪２６と歯３１との当接面の傾きは、歯３１が爪２６を押圧したときに、その分力が爪２６を上方へと変位させるような関係に設定されている。そのため、歯３１から押圧された爪２６は、歯３１から外れる方向へと逃げ、その結果、帯状部３の移動は許容されることになる。一方、帯状部３が挿通路２５から引き抜かれる方向へ移動する場合、爪２６の変位方向、歯３１の移動方向、及び爪２６と歯３１との当接面の傾きは、歯３１が爪２６を押圧したときに、その分力が爪２６を上方へは変位させないような関係に設定されている。そのため、歯３１から押圧された爪２６は、少なくとも上方へは変位せず、その結果、帯状部３の移動を阻止されることになる。
【００３８】
［効果］
以上のように構成された封緘バンド１によれば、帯状部３の一端に設けられた挿通部５が有する挿通路２５に対し、帯状部３を他端側から挿し込むと、帯状部３が環状になる。このとき、帯状部３が有する複数の歯３１と挿通部５が有する爪２６が上述のようなラチェット機構を構成する。そのため、このような封緘バンド１であれば、環状になった帯状部３を絞って環の径を小さくすることはできても、帯状部３を緩めて環の径を大きくすることはできない。したがって、封緘バンド１を封緘対象物に取り付けて、環の径が最も小さくなる状態まで絞れば、その環を破断することなく可逆的に緩めることはできなくなる。よって、このような封緘バンド１で開封されては困る箇所を封止すれば、当該箇所が秘密裏に開封されるのを防ぐことができ、万一、封緘バンド１が破断を伴って開封されたとしても、開封されたという事実を直ちに把握することができる。
【００３９】
また、上記封緘バンド１において、帯状部３が挿通路２５に挿通された際には、帯状部３及び第二部分５Ｂの双方によって二重の隔壁が形成され、この二重の隔壁によって凹部１９の開口１９Ａが塞がれる。そのため、開口１９Ａに何らかの治具を挿し込んで爪２６を動かすような不正な操作をしようとしても、爪２６を直接押圧することができないのはもちろんのこと、爪２６が当接している帯状部３を押圧することもできない。したがって、帯状部３を強く押圧して、変形する帯状部３とともに爪２６を変位させる、といった不正な操作を行うことはできず、凹部１９相当部分の開口を帯状部３相当物によって形成される単一の隔壁で塞いでいた従来品に比べ、封緘性能を高くすることができる。よって、例えば金型の都合で、どうしても開口１９Ａ相当の形状が生じてしまう場合には、このような構成を採用すると有効である。
【００４０】
また、上記封緘バンド１の場合、第二部分５Ｂは、開口１９Ａに加えて、第三貫通孔２３を塞ぐ状態になる。そのため、仮に第二部分５Ｂが存在しなければ、第三貫通孔２３を介して針先などを侵入させた場合に、その針先が爪２６に到達し得るような構造になっていたとしても、そのような針先の侵入を第二部分５Ｂによって阻止でき、不正な操作に対する耐性をより一層高めることができる。したがって、例えば金型の都合で、どうしても第三貫通孔２３相当の形状が生じてしまう場合には、このような構成を採用すると有効である。
【００４１】
また、上記封緘バンド１によれば、帯状部３が挿通路２５に挿通される際には、帯状部３が第四貫通孔２４に挿通された状態とされるので、これにより、帯状部３は、第二部分５Ｂが第一部分５Ａから取り外される方向へ変位するのを阻止する部材としても機能する。したがって、このような第四貫通孔２４が設けられていれば、他のロック機構を採用することなく、帯状部３と第四貫通孔２４によって第二部分５Ｂが第一部分５Ａから取り外されないようにすることができ、他のロック機構が存在する場合よりも、封緘バンド１の構造を簡素化することができる。
【００４２】
また、上記封緘バンド１によれば、第一部分５Ａと第二部分５Ｂがヒンジ部５Ｃを介して連結されているので、第一部分５Ａと第二部分５Ｂがバラバラにならず、一方だけを紛失したり、作業時に落としたりするのを防ぐことができ、封緘バンド１を取り扱いやすくすることができる。
【００４３】
また、上記封緘バンド１によれば、底面カバー部１３Ｂに設けられた嵌合部１５Ａを、第一部分５Ａが有する被嵌合部１５Ｂに嵌合させて、底面カバー部１３Ｂが開口１９Ａから離間する方向（図中下方）へ捲れ上がるのを阻止してある。したがって、このような嵌合部１５Ａ相当の部分が設けられていない場合とは異なり、底面カバー部１３Ｂが不正な操作を受けて下方へ捲れ上がることがなく、この点でも不正な操作に対する耐性を高めることができる。
【００４４】
［その他の事例］
以上、封緘バンドについて、具体的な事例を挙げて説明したが、本発明は上述の具体的事例に限定されるものではなく、本発明の技術的思想を逸脱しない範囲内において、種々の形態で実施することができる。
【００４５】
例えば、上記事例では、第二部分５Ｂによって第三貫通孔２３を塞ぐ構造を採用していたが、第三貫通孔２３の位置や大きさによっては、第三貫通孔２３を塞がなくても不正な操作がなされない可能性もある。したがって、そのような場合、第三貫通孔２３を塞ぐ構造を採用するか否かは任意である。
【符号の説明】
【００４６】
１…封緘バンド、３…帯状部、５…挿通部、５Ａ…第一部分、５Ｂ…第二部分、５Ｃ…ヒンジ部、７…タグ、１１Ａ…係合突起、１１Ｂ…被係合部、１３Ａ…正面カバー部、１３Ｂ…底面カバー部、１５Ａ…嵌合部、１５Ｂ…被嵌合部、１７Ａ〜１７Ｄ…周壁部、１７Ｅ…天井部、１７Ｆ…底部、１９…凹部、１９Ａ…開口、２１…第一貫通孔、２２…第二貫通孔、２３…第三貫通孔、２４…第四貫通孔、２５…挿通路、２６…爪、２８…板状支持部、３１…歯。
【図１】
2015081118.tif 000003
【図２】
2015081118.tif 000004
【図３】
2015081118.tif 000005
【図４】
2015081118.tif 000006
【図５】
2015081118.tif 000007